(57)【要約】      （修正有）【課題】ハンドボールコートのライン引き作業において、巻尺を使用せずに規定されている寸法に正確かつ簡便にライン引きできる補助具を提供する。【解決手段】両端に連結金具１１、１２を固設した長さが２０ｍの第１ロープ１と、１５ｍの第２ロープ２と、２５ｍの第３ロープ３とからなり、第１ロープには両端から８．５ｍの位置に標識が、第２ロープには、一端から４ｍ，６ｍ，７ｍ，９ｍの位置に、標識が、第３ロープには一端から５ｍの位置に標識が付設されている。サイドラインＡＢのＡ点に第１ロープの１端と第２ロープの他端を合わせて固定ピンで固定し、第２ロープの一端に第３ロープの他端を合致させて固定ピンで固定し、第３ロープの一端を第１ロープの他端と合致させて引っ張り、第１ロープと第２ロープと第３ロープとでＡ点を直角とする直角三角形を作りＣ点を決定する。【選択図】図４
0003204693.tif 000002
【実用新案登録請求の範囲】
【請求項１】
ハンドボールコートのラインを引くための補助具であって、両端に連結金具を固設した長さが２０ｍの第１ロープと、１５ｍの第２ロープと、２５ｍの第３ロープとからなり、該第１ロープは両端から８.５ｍの位置に、該第２ロープは、一端から４ｍ，６ｍ，７ｍ，９ｍの位置に、該第３ロープは一端から５ｍの位置に標識がそれぞれ付設されたことを特徴とするハンドボールコートライン引き用補助具。
【請求項２】
前記第１ロープ、第２ロープおよび第３ロープは、グラスファイバーを含む巻尺用材であって、両端の連結金具は、少なくとも一端側は開閉可能で連結できるものであることを特徴とする請求項１記載のハンドボールコートライン引き用補助具。
【請求項３】
前記第３ロープに、一端から４ｍ，６ｍ，７ｍ，９ｍの位置および他端から８.２８ｍと２４.７２ｍの位置に追加して標識が付設されたことを特徴とする請求項１または請求項２に記載のハンドボールコートライン引き用補助具。
【考案の詳細な説明】
【技術分野】
【０００１】
本考案は、ハンドボールコートのラインを引く作業に使用する補助具に関するものである。
【背景技術】
【０００２】
ハンドボールコートは、図９に示すように、４０ｍのサイドラインＡＢ，ＣＤと２０ｍのエンドラインＡＣ、ＢＤとで囲まれた長方形で、サイドラインの中央にセンターラインＥＦが引かれている。そして、エンドラインＡＣ、ＢＤの中央にゴールラインｇ1が引かれ、ゴールの前に３×６ｍの長方形とその左右に接合する半径６ｍの２つの四分円からなるゴールエリアラインｇ3が引かれている。また、その３ｍ外側にゴールエリアラインｇ3と平行および同心円状にフリースローラインｇ5が引かれている。また、ゴールラインｇ1から４ｍの位置に長さ１５ｃｍのゴールキーパーラインｇ2が、７ｍの位置に長さ１ｍの７ｍラインｇ4が引かれている。さらに、サイドラインＡＢの中央Ｅから両側へ長さ４.４５ｍの位置に交代ラインｅが引かれている。
【０００３】
従来、ハンドボールコートのラインを引く場合は、巻尺を使って各ラインの長さを計り、線引きをしている。なお、これを簡便に行うための補助具は従来技術を調べてみたが見当たらなかった。
【考案の開示】
【考案が解決しようとする課題】
【０００４】
コートのライン引きを巻尺による場合は、他の道具を必要としないので、安上がりと思えるが、ラインの線引きを正確に行うこと、特に、四隅が直角になるようにエンドラインをサイドラインに対して直角に引くことが困難で、大会用の場合はライン引きに時間がかかるという問題がある。
【０００５】
そこで、本考案は、ハンドボールコートのライン引き作業において、規定されている寸法に正確かつ簡便にライン引きできる補助具を提供することを目的としている。
【課題を解決するための手段】
【０００６】
本考案のハンドボールコートのライン引き用補助具は、上記の目的を達成するため次の手段を採った。すなわち、ハンドボールコートのラインを引くための補助具であって、両端に連結金具を固設した長さが２０ｍの第１ロープと、１５ｍの第２ロープと、２５ｍの第３ロープとからなり、該第１ロープは両端から８.５ｍの位置に、該第２ロープは、一端から４ｍ，６ｍ，７ｍ，９ｍの位置に、該第３ロープは一端から５ｍの位置に標識を付設したことを特徴としている。
【０００７】
第１ロープ、第２ロープおよび第３ロープは、伸び縮みしないものであれば、その材質は、特に問わない。実用的には、請求項２に記載のように、グラスファイバーを混入した巻尺のようなものがよい。両端に固設される連結金具は、地面に固定ピンで固定できるものであればよい。両方輪状のものでもよいが、片方を連結取り外し可能なものにするのが望ましい。
第１ロープは、長さが２０ｍで、両端から８.５ｍの位置にゴールラインの両端の位置を決める標識が付設されている。
第２ロープは、長さが１５ｍで、一端から４ｍ，６ｍ，７ｍ，９ｍの位置に、ゴールキーパーライン、ゴールエリアライン、７ｍライン、フリースローライン（以下、ゴール前ラインという）の位置を決める標識が付設されている。
また、第３ロープは、長さが２５ｍで、一端から５ｍの位置にセンターラインＥＦの引き出す位置Ｅを決める標識が付設されている。なお、さらに、その位置Ｅから両側へ４.４５ｍの位置に交代ラインｅの両端を決める標識を付設するとよい。
【０００８】
この補助具は、次のように使用される。
まず、第２ロープと第３ロープを連結してグランドの適宜な位置に真っ直ぐにおいて、一端がＡ、他端がＢのサイドラインの始点と終点を決め、サイドラインＡＢをライン引きする。
次に、第２ロープの一端に、第１ロープの一端を連結しＡ点に固定ピンで固定し、さらに、第２ロープの他端を第３ロープの一端と合わせて固定ピンで固定（点Ｓ）し、第３ロープの他端を第１ロープの他端と連結してサイドラインＡＢに直角方向へ引張る。たるみのない状態を確認したらその地点をＣとする。第１ロープと第２ロープと第３ロープは、連結されて、ピタゴラスの定理により直角三角形を構成する。Ａ点とＣ点を直線で結ぶラインを引けば、サイドラインＡＢに直角なエンドラインＡＣがライン引きできる。
【０００９】
続いて、第１ロープの一端と第２ロープの一端を連結してＢ点に固定ピンで固定し、第２ロープの他端を第３ロープの一端と合わせて固定ピンで固定（点Ｓ）し、第３ロープの他端を第１ロープの他端と連結してサイドラインＡＢに直角方向へ引張る。たるみのない状態を確認したらその地点をＤとする。Ｂ点とＤ点を直線で結ぶラインを引けば、エンドラインＢＤがライン引きできる。そして、Ｃ点とＤ点を直線で結ぶラインを引けば、サイドラインＣＤがライン引きできる。以上で、四隅が直角の２０ｍ×４０ｍの長方形がライン引きできる。
続いて、第１ロープに付設された標識を利用してゴールラインｇ1を引き、第３ロープに付設された標識でセンターラインＥＦと交代ラインｅの両端をライン引きする。そして、第２ロープに付設した標識によってゴール前ライン（ｇ2，ｇ3，ｇ4，ｇ5）をライン引きする。
【００１０】
また、エンドラインＢＤ側のゴール前ラインを引く場合は第２ロープの一端をＢ点へ移動して行う。なお、請求項３に記載のように第３ロープにも第２ロープと同じく一端から４ｍ，６ｍ，７ｍ，９ｍの位置に標識を付設すれば、第２ロープと第３ロープをサイドラインＡＢとサイドラインＣＤにそれぞれ、固定して第１ロープを平行移動させてエンドラインＡＣおよびエンドラインＢＤ前のゴールラインを引くことができる。
また、Ａ、Ｂ、Ｃ、Ｄの各点を結んでできた長方形が正確であるかを確認する場合は、第１ロープに第３ロープを連結し、一端をＣ点に固定して他端側をＢ点を通るように引っ張り、第３ロープに付設された標識がＢ点に一致することを確認する。また、この状態で第３ロープを持ってサイドラインＡＢのセンターライン起点へ移動させ、第３ロープに付設された標識が一致することを確認する。
【考案の効果】
【００１１】
本考案のハンドボールコートライン引き用補助具は、両端に連結金具を固設した長さが２０ｍの第１ロープと、１５ｍの第２ロープと、２５ｍの第３ロープとからなり、第１ロープと第２ロープと第３ロープを連結することにより直角三角形ができるので、四隅が直角である４０ｍ×２０ｍのサイドラインとエンドラインの長方形を正確かつ簡便にライン引きできる。さらに、各ロープにはセンターラインやゴールライン、およびゴール前のゴールエリアライン、フリースローラインなどを引くための標識が付設されているので、巻尺を使用せずに正確にハンドボールコートのライン引きが簡便かつ短時間にできる。
【００１２】
また、請求項２に記載の各ロープをグラスファイバーを含む巻尺用材として、両端の連結金具は、一端は丸輪状で他端は連結できるものとすれば、簡便に作ることができ耐久性に優れたものにできる。また、請求項３に記載のように、第３ロープにも、一端から４ｍ，６ｍ，７ｍ，９ｍの位置に標識を付設すれば、両サイドラインに対向させて置き、第１ロープを移動させてゴール前ラインを効率よく引くことができる。さらに、他端から８.２８ｍ、２４.７２ｍの位置に標識が付設されているので、第３ロープを第１ロープに連結して長方形の対角線上の寸法およびセンターラインまでの対角線の寸法を簡便にチェックできる。
【考案を実施するための最良の形態】
【００１３】
以下、本考案のハンドボールコートライン引き用補助具の実施の形態を図面に基づいて説明する。
図１〜図３は、補助具である第１ロープ〜第３ロープを示す平面図である。
第１ロープ１は、図１に示すように、幅が１.２ｃｍの長さが２０ｍ（ここではグラスファイバーを含む巻尺を切断して使用している）で、一端には輪状の連結金具１１が固設され、他端には開閉できる連結金具１２が固設されている。そして、両端から８.５ｍの位置に、標識１ａ、１ｂが付設され、両端から９.５ｍの位置に標識１ｃ，１ｄが付設されている。
【００１４】
第２ロープ２は、図２に示すように、第１ロープ１と同じ材質および幅で、長さが１５ｍで一端には開閉できる連結金具１２が固設され、他端には輪状の連結金具１１が固設されている。そして、一端から４ｍ、６ｍ、７ｍ，９ｍの位置にそれぞれ、標識２ａ、２ｂ，２ｃ，２ｄが付設されている。
第３ロープ３は、図３に示すように、第１ロープ１と同じ材質および幅で、長さが２５ｍで一端には開閉できる連結金具１２が固設され、他端には輪状の連結金具１１が固設されている。そして、一端から５ｍの位置に標識３ａが付設され、標識３ａから両側４.４５ｍの位置に標識３ｂ，３ｃが付設されている。
【００１５】
次に、この補助具を用いたハンドボールコートのライン引き作業について図４〜図６に基いて説明する。
先ず、サイドラインの位置をどこにするか決め、第２ロープ２の他端の連結金具１１に第３ロープ３の連結金具１２を連結し、第２ロープ２の一端の連結金具１２に固定ピン（例えば５寸釘）を打ち込んで、水平に引っ張り、第３ロープ３の他端の連結金具１１に固定ピンで固定する。前者の固定ピンの位置をＡ点、後者の固定ピンの位置をＢ点とする。
サイドラインＡＢは、Ａ点からＢ点へ直線のラインを引くことによりライン引きできる。そして、サイドラインＡＢ上の第３ロープ３の標識３ａ、３ｂ，３ｃに位置する地点にマークを付ける。標識３ａの地点がＥ点である。
【００１６】
次に、第１ロープ１の一端の連結金具１１と、第２ロープ２の一端の連結金具１２を重ねて固定ピンでＡ点に固定する。そして、第２ロープ２の他端の連結金具１２に第３ロープ３の一端の連結金具１２を合わせて固定ピンで固定する（図４におけるＳ点）。そして、第３ロープ３の他端を第１ロープ１の他端側へ持って行き、第１ロープ１の連結金具１２と第３ロープ３の連結金具１２を合わせて両者が弛まないように引張して、定まった地点に固定ピンで固定する。この位置をＣ点とする。これにより、連結された第１ロープ１と第２ロープと第３ロープに囲まれた三角形は、ピタゴラスの定理により直角三角形を形成する。
Ａ点からＣ点へ直線のラインを引けば、サイドラインＡＢに対し垂直なエンドラインＡＣがライン引きされる。
第１ロープ１の標識１ａ、１ｂが位置する地点にマークを付け、太めのライン（幅８ｃｍ）を引けば、ゴールラインｇ1がライン引きされる。
【００１７】
次に、図５に示すように、第１ロープ１の一端の連結金具１１と第２ロープ２の一端の連結金具１２を合わせてＢ点に置いて固定ピンで固定する。そして、第２ロープ２の他端の連結金具１１と第３ロープ３の一端の連結金具１２を合わせてサイドラインＡＢ上で固定ピンで固定し（図５におけるＳ点）、第３ロープ３の他端の連結金具１１を第１ロープ１の他端の連結金具１２と合わせて弛みのない状態に引張し、固定ピンで固定する。この位置をＤ点とする。
そして、上記と同様に、Ｂ点とＤ点を結ぶ直線を引いてエンドラインＢＤが、Ｃ点とＤ点を結ぶ直線を引いてサイドラインＣＤがライン引きされる。これで、ハンドボールコートの長方形ＡＢＣＤがライン引きされる。
第１ロープ１の標識１ａ、１ｂの地点にマークを付け、ゴールラインｇ1を引く。
また、第３ロープ３をサイドラインＣＤ上に置いて他端をＤ点に合致させ、標識３ａの地点にマークを付け、Ｆ点とし、上記マークしたＥ点と結ぶ直線を引けば、センターラインＥＦがライン引きされる。
【００１８】
次に、ゴール前ライン（ｇ2、ｇ3、ｇ4、ｇ5）をライン引きする作業について図６で説明する。
先ず、第２ロープ２の一端をＡ点に置いて他端をサイドラインＡＢ上に置き、標識２ａ，２ｂ，２ｃ，２ｄの地点にマークし、同様に、サイドラインＣＤのＣ点に第２ロープ２の一端をおいて、標識２ａ，２ｂ，２ｃ，２ｄの地点にマークする。
そして、第１ロープ１をサイドラインＡＢとサイドラインＣＤに記したマークに合うように平行移動し、２ａの地点では、中央に１５ｃｍのゴールキーパーラインｇ2をゴールラインｇ1と平行にライン引きする。次に、２ｂのマークの位置に移動し、標識１ａの点に合わせてｍ1のマークを付け、標識１ｂの地点にｋ1のマークを付ける。続いて、２ｃの地点に移動し、第１ロープ１の標識１ｃ，１ｄの地点をマークし、７ｍラインを引く。
さらに、標識２ｄの位置に移動し、標識１ａの点に合わせてｍ2のマークを付け、標識１ｂの地点にｋ2のマークを付ける。
【００１９】
次に、ｍ1の地点からエンドラインＡＣへ半径６ｍの四分の円をライン引きし、同様にｋ1の地点からエンドラインＡＣへ半径６ｍの四分の円をライン引きし、ｍ1の地点とｋ1の地点を直線のラインを引く。これで、ゴールエリアラインｇ3がライン引きされる。
同様に、ｍ2の地点からエンドラインＡＣへ半径９ｍの四分の円を破線（１５ｃｍの線を１５ｃｍ間隔で）引きし、同様にｋ2の地点からエンドラインＡＣへ半径９ｍの四分の円を破線引きし、ｍ2の地点とｋ2の地点間を破線のラインを引く。これで、フリースローラインｇ5がライン引きされる。
【００２０】
次に、エンドラインＢＤ側のゴール前ライン（ｇ2、ｇ3、ｇ4、ｇ5）を引く。
この作業は、第２ロープ２の一端をＢ点に置いて他端をサイドラインＡＢ上に置き、標識２ａ，２ｂ，２ｃ，２ｄの地点にマークし、同様に、サイドラインＣＤのＤ点に第２ロープ２の一端をおいて、標識２ａ，２ｂ，２ｃ，２ｄの地点にマークし。上記と同様に作業を行うことによりライン引きできる。
【００２１】
次に、別の（請求項３の考案）実施の形態について、図７および図８に基づいて説明する。
この実施の形態のおける補助具は、第１ロープ１と第２ロープ２と第５ロープ５とで構成される。ここで、第１ロープと第２ロープは上記と同じものである。
第５ロープ５は、第３ロープに標識５ｈ，５ｊ、５ａ、５ｂ，５ｃ，５ｄを追加したものである。すなわち、図７に示すように、第５ロープ５の一端から８.２８ｍの位置に標識５ｈが付設され、また、２４.７２ｍの位置に５ｊが付設されている。さらに、他端の連結金具１１側から４ｍ、６ｍ、７ｍ，９ｍの位置にそれぞれ、標識５ａ、５ｂ，５ｃ，５ｄが付設されている。
【００２２】
次に、この補助具を用いてハンドボールコートのライン引きを行う作業について説明する。
第５ロープは、第３ロープの機能を全て持ち合わせており、ＡＢＣＤの地点を決めることおよび長方形のライン引き作業は、上記と同じであるので、説明は省略する。
ゴール前ライン（ｇ2、ｇ3、ｇ4、ｇ5）を引く作業においては、第２ロープ２をＡ点からサイドラインＡＢ上に固定するとともに、第５ロープ５をＣ点からサイドラインＣＤ上に固定し、第１ロープ１をエンドラインＡＣから平行にコート内側へ移動させ、標識２ａと標識５ａに合致させて第１ロープの中央に１５ｃｍのゴールキーパーラインｇ2を引き、同様に第１ロープ１を標識２ｃと標識５ｃに合致させて標識１ｃから１ｄまでの７ｍラインｇ4をライン引きする。
続いて、第１ロープ１を標識２ｂと標識５ｂに合致させ、標識１ａから標識１ｂまで直線のラインを引き、その両端から半径６ｍの四分円をそれぞれライン引きする。これで、ゴールエリアラインｇ3がライン引きされる。
同様に、標識２ｄと標識５ｄに第１ロープ１を合致させ、標識１ａから標識１ｂまでの破線（１５ｃｍのラインを１５ｃｍ間隔）を引き、その両端から半径６ｍの四分円をそれぞれ破線引きする。これで、フリースローラインｇ5がライン引きされる。
【００２３】
次に、第１ロープ１と第５ロープ５を連結し、図８に示すように、第１ロープ１の一端をＣ点に固定ピンで固定し、第５ロープ５の他端を引っ張り、センターラインＥＦのＥ点に合わせる。そのとき、第５ロープ５の標識５ｈがＥ点に一致すれば、その距離が２８.２８ｍであることが確認できる。また、第５ロープ５の他端を引っ張り、サイドラインＡＢのＢ点に合わせ、標識５ｊに一致すれば、対角線の距離が４４.７２ｍであることを確認できる。同様に、第１ロープ１の一端をＡ点に固定して、第５ロープ５を引っ張り、Ｆ点に合わせ、標識５ｈに一致するか、また、Ｄ点に合わせ標識５ｊに一致するか確認する。
【図面の簡単な説明】
【００２４】
【図１】ハンドボールコートのライン引き補助具である第１ロープを示す平面図である。
【図２】同、第２ロープの平面図である。
【図３】同、第３ロープの平面図である。
【図４】同、ライン引き作業の過程を示す説明図でハンドボールコートのＣ点を決める平面図である。
【図５】同、Ｄ点を決める平面図である。
【図６】同、ゴール付近のゴール前ラインを引く説明図である。
【図７】請求項３の実施の形態に使用する補助具である第５ロープを示す平面図である。
【図８】同、対角線の寸法を確認する作業状態を示す平面図である。
【図９】ハンドボールコートの平面図である。
【符号の説明】
【００２５】
１  第１ロープ
１ａ、１ｂ、１ｃ，１ｄ  標識
２  第２ロープ
２ａ、２ｂ，２ｃ，２ｄ  標識
３  第３ロープ
３ａ、３ｂ，３ｃ  標識
５  第５ロープ
５ａ、５ｂ，５ｃ，５ｄ  標識
５ｈ、５ｊ  標識
１１  連結金具
１２  連結金具
ｅ  交代ライン
ｇ1  ゴールライン
ｇ2  ゴールキーパーライン
ｇ3  ゴールエリアライン
ｇ4  ７ｍライン
ｇ5  フリースローライン
【図１】
0003204693.tif 000003
【図２】
0003204693.tif 000004
【図３】
0003204693.tif 000005
【図４】
0003204693.tif 000006
【図５】
0003204693.tif 000007
【図６】
0003204693.tif 000008
【図７】
0003204693.tif 000009
【図８】
0003204693.tif 000010
【図９】
0003204693.tif 000011